(57)【要約】【課題】 本発明は、設置自由度が高く、耐用年数が長大で、施工も簡便且つ低コストで行うことができる敷地及び家屋の防犯システムを提供する。【解決手段】新設の壁２には網体１を予め内装し、既設の壁２には装着した後化粧被覆２ａを施す。この網体１に圧力を検知する感圧センサー又は歪センサー３を接続し、網体１の外圧による変形や破損を感知し、報知機４に指令を出し作動させる。報知機４としては光や音声で警報を発するライトやサイレン等を用いる。【選択図】  図１
2008176380.tif 000002
【特許請求の範囲】
【請求項１】
敷地内又は家屋への侵入者を検知し得るセンサーと該センサーの検知信号を受信し作動する通報機とからなる防犯システムにおいて、前記センサーが圧力を検知する感圧センサー又は歪センサーであって、建物壁面又は敷地内に配設された網体と連結してなり、該網体は、下記の特性を有するポリエステルモノフィラメントを素材とし、撚り合わせ部分に溶着または接着を伴うことなく織成してなる多角形の網目を有する合成樹脂製網状体であることを特徴とする敷地及び家屋の防犯システム。
極限粘度＝０．６以上  線径＝１．５〜４．５ｍｍ  強度伸度積＝７５０〜３０００ｋｇ／ｍｍ２・％  摩耗耐久性＝５０００回／ｍｍ２以上。
【発明の詳細な説明】
【技術分野】
【０００１】
本発明は、敷地内又は家屋への侵入者を感知する敷地及び家屋の防犯システムに関し、特に感圧センサー又は歪センサーを用いて侵入を通報するようにした防犯システムに関するものである。
【背景技術】
【０００２】
従来の敷地内や家屋への侵入者の防止対策としては、堅牢な壁や門扉を設けたり、侵入者に対して光や音で警告したり、家屋の玄関や窓等に桟等を施して強化し、侵入し難くすると共に、建物内部に侵入された場合には、警備会社に通報する警備システムを取り付ける等の手段が取られている。
【０００３】
本発明の従来技術としては、例えば特許文献１に示されるように、家屋の周囲の敷地内に複数の防犯センサーを設置し、これらの防犯センサーで敷地内或は家屋内の侵入者の監視を行うようにしたものが知られている。
【０００４】
特許文献１に記載された技術のように、検知センサーとしては、熱線式赤外線センサー、赤外線ビームセンサーが一般的に使用されていた。しかしながら、このような赤外線を用いたセンサーを用いる場合、熱線式では、犬、猫等の小動物或は車両のライトに反応して誤動作をする問題があった。また、ビーム遮断式では、ビーム間を通過する小動物、枯葉等に反応して誤動作してしまうという問題があった。
【０００５】
前述の問題を解決するために、熱線式において、検知範囲を調節する方法も実施されているが、その検知範囲を厳密に調節することが難しく、隣家や道路にいる人に対しても反応してしまうことがある等の問題もあった。また、ビーム遮断式においては、ビーム数を増加する対策も取られているが、この場合にはセンサー本体が大きくかつコスト高になる問題があった。かつ、検知範囲を自由に調節することは出来るが、その検知範囲が侵入者にも知られるので、逆に侵入者が潜り抜けなどの回避行動をしてその範囲を逃れて侵入して来る場合もある等の問題があった。
【０００６】
そこで、例えば特許文献２に示されるように、シート状に形成された感圧センサーを玄関マットとして来客報知或は自動ドアスイッチとして使用することも知られている。また、ケーブル状に形成された感圧センサーを塀の上部に設置し、乗り越えて来る侵入者を感圧センサーで検知することも知られている。また、圧力を検地できるケーブル状の感圧センサーをモルタル上に等間隔を保ってジグザグに配置し、その上にタイルを積層して構成した敷地内防犯システム（特許文献３参照。）やシート状の振動伝導体に伝わった砂利の振動を検知するエリア侵入検知装置が知られている（特許文献４参照。）。
【０００７】
【特許文献１】特開平６−１１９５７５号公報
【特許文献２】特開２００４−２８８８３号公報
【特許文献３】特開２００５−２８４４８１号公報
【特許文献４】特開２００６−９２３９３号公報
【発明の開示】
【発明が解決しようとする課題】
【０００８】
しかしながら、前述の特許文献２や玄関マットとして使用されるシート状のセンサーは、敷地条件に合わせて施工現場で加工することが困難であり、かつ、設置領域の自由度が小さい等の問題があった。また、特許文献３ではケーブル状感圧センサーの感度保持のため、上からの支圧力を受ける反力基板、すなわち、タイル（支圧板）とモルタル基礎（反力板）とを要し、モルタル基礎には必ず生じる亀裂のため機能が低下するのは否めない。また、特許文献４に記載された耐食性を有する金属シートとしては、ステンレス板又は亜鉛メッキ板が考えられるが、ステンレスは湿潤箇所に置かれるとバクテリアにより腐食する事例が多く、亜鉛メッキは塩害に弱い。したがって、鋼板や金網に耐食処理を施しても耐用年数は短く実用性に欠ける。
【０００９】
本発明は前記のような従来技術の問題点に鑑みなされたもので、設置自由度が高く、耐用年数が長大で、施工も簡便且つ低コストで行うことができる敷地及び家屋の防犯システムを提供することを目的とするものである。
【課題を解決するための手段】
【００１０】
そこで、本発明は、敷地内又は家屋への侵入者を検知し得るセンサーと該センサーの検知信号を受信し作動する通報機とからなる防犯システムにおいて、前記センサーが圧力を検知する感圧センサー又は歪センサーであって、建物壁面又は敷地内に配設された網体と連結してなり、該網体は、下記の特性を有するポリエステルモノフィラメントを素材とし、撚り合わせ部分に溶着または接着を伴うことなく織成してなる多角形の網目を有する合成樹脂製網状体であることを特徴とする敷地及び家屋の防犯システム。
極限粘度＝０．６以上  線径＝１．５〜４．５ｍｍ  強度伸度積＝７５０〜３０００ｋｇ／ｍｍ２・％  摩耗耐久性＝５０００回／ｍｍ２以上。
【発明の効果】
【００１１】
（１）センサーを感圧センサー又は歪センサーにしたので、赤外線を用いたセンサーのように、犬、猫等の小動物や枯葉等によって誤動作することがない。また、検知範囲を簡単に調整することが出来る。
（２）侵入者にセンサーの設置場所を悟られる恐れがない。
（３）安価に大量生産することが出来る。
【発明を実施するための最良の形態】
【００１２】
以下、本発明の実施の形態を図面に示す実施例に基づいて説明する。
図１は本発明に係る防犯システムを家屋の壁に配置した状態を模式的に示す断面図、図２は本発明に係る防犯システムを敷地に配設した状態を模式的に示す断面図、図３は網体の平面図である。
【実施例】
【００１３】
図１中、２は例えば、家屋の壁である。新設の壁２には網体１を予め内装し、既設の壁２には網体１を装着した後、化粧被覆２ａを施す。この網体１には圧力を検知する感圧センサー又は歪センサー３が接続されており、網体１の外圧による変形や破損を感知し、報知機４に指令を出し作動させる。報知機４としては光や音声で警報を発するライトやサイレン等を用いる。
【００１４】
本発明の敷地内防犯システムを現場で施工するに当っては、例えば、図２に例示する如く、敷地内の所定のコンクリートモルタル又はタイル仕上げ面７上に砂地５を敷設し、砂地５上に網体１を配置し、報知機４に接続された感圧センサー１を網体１の所定個所に接続する。その上に可撓性又は可歪性のある被覆材６、例えば、土、砂、砂利等で埋め戻し、芝８等の植物を植生する。
【００１５】
網体１としては、下記の特性を有するポリエステルモノフィラメントを素材とし、撚り合わせ部分に溶着または接着を伴うことなく織成してなる多角形の網目を有する合成樹脂製網状体であることが望ましい。
極限粘度＝０．６以上  線径＝１．５〜４．５ｍｍ  強度伸度積＝７５０〜３０００ｋｇ／ｍｍ２・％  摩耗耐久性＝５０００回／ｍｍ２以上。尚、本実施例では、ＳＴＫネット（商品名：粕谷製網株式会社製）を用いた。図３にその平面図を示す。
【産業上の利用可能性】
【００１６】
本発明は、侵入者の侵入を効果的に防止し得る敷地内の防犯システムの設計或は防犯住宅の設計に利用することができる。とくに侵入者が建物の壁、窓、ドア等を破損する以前、若しくは破損された時点で侵入者を感知し、被害を抑止することが出来る。
【図面の簡単な説明】
【００１７】
【図１】本発明に係る防犯システムを家屋の壁に配置した状態を模式的に示す断面図である。
【図２】本発明に係る防犯システムを敷地に配設した状態を模式的に示す断面図である。
【図３】網体の平面図である。
【符号の説明】
【００１８】
１   網体
２   壁
２ａ 化粧板
３   感圧センサー又は歪センサー
４   報知機
５   砂地
６   可撓性又は可歪性のある被覆材
７   仕上げ面
８   芝（植物）
【図１】
2008176380.tif 000003
【図２】
2008176380.tif 000004
【図３】
2008176380.tif 000005